(57)【特許請求の範囲】
【請求項１】
毎回に印刷順番に従って、２ページ分のオリジナルな４色ページビットマップデータであって、前記４色がＹＭＣＫ色であり、かつ、印刷結果が所定の２色のみで表現される４色ページビットマップデータを取得するステップと、
前記２ページ分のオリジナルな４色ページビットマップデータから、前記所定の２色のページビットマップデータを抽出し、有効な第１色データと第２色データとしてそれぞれ保存するステップと、
それぞれ保存された前記２ページ分の有効な第１色データと第２色データとをそれぞれ、１ページ分の新規４色ページビットマップデータの第１色データ、第２色データ、第３色データ、第４色データに書き込むステップと、
を備えることを特徴とする２色両面印刷方法。
【請求項２】
１ページ目から、毎回に印刷順番に従って２ページ分のオリジナルな４色ページビットマップデータを取得することを特徴とする請求項１に記載の２色両面印刷方法。
【請求項３】
２ページ目から、毎回に印刷順番に従って２ページ分のオリジナルな４色ページビットマップデータを取得し、その前には、
１ページ目の前記オリジナルな４色ページビットマップデータを取得し、
１ページ目の新規４色ページビットマップデータを生成し、ここで、当該新規４色ページビットマップデータにおける第１色データと第２色データとがヌルとされ、前記１ページ目のオリジナルな４色ページビットマップデータから抽出された前記有効な第１色データと第２色データとが前記１ページ目の新規４色ページビットマップデータにおける第３データと第４データに書き込まれることを特徴とする請求項１に記載の２色両面印刷方法。
【請求項４】
更に、毎回に印刷順番に従って２ページ分のオリジナルな４色ページビットマップデータを取得し、最後に単一ページ分のオリジナルな４色ページビットマップデータが残された場合、最後の１ページ分の新規４色ページビットマップデータを生成し、前記最後に残された単一ページ分のオリジナルな４色ページビットマップデータから抽出された前記有効な第１色データと第２データとを当該最後の１ページ分の新規４色ページビットマップデータにおける第１色データと第２色データに書き込み、当該最後の１ページ分の新規４色ページビットマップデータにおける第３色データと第４色データとをヌルとするステップを、更に備えることを特徴とする請求項１に記載の２色両面印刷方法。
【請求項５】
更に、
印刷順番に従って各ページの前記新規４色ページビットマップデータを取得するステップと、
前記新規４色ページビットマップデータにおける前記第１色データと第２色データを抽出して被印刷材の第１面に印刷するステップと、
前記新規４色ページビットマップデータにおける前記第３色データと第４色データを抽出して被印刷材の第２面に印刷するステップと備えており、
印刷手段において、第１色の顔料と第３色の顔料は第１スポットカラーの顔料に、第２色の顔料と第４色の顔料は第２スポットカラーの顔料に、予め設定されていることを特徴とする請求項１〜４のいずれか１項に記載の２色両面印刷方法。
【請求項６】
前記第１面の印刷が終了すると、前記被印刷材を裏返して前記第２面の印刷を行うことを特徴とする請求項５に記載の２色両面印刷方法。
【請求項７】
印刷制御手段を備え、
前記印刷制御手段は、
毎回に印刷順番に従って２ページ分のオリジナルな４色ページビットマップデータであって、前記４色がＹＭＣＫ色であり、かつ、印刷結果が所定の２色のみで表現される４色ページビットマップデータを取得するオリジナルページ取得モジュールと、
前記２ページ分のオリジナルな４色ページビットマップデータから、前記所定の２色のページビットマップデータを抽出し、有効な第１色データと第２色データとしてそれぞれ保存する抽出モジュールと、
前記それぞれ保存された前記２ページ分の有効な第１色データと第２色データとをそれぞれ、新たな１ページ分の４色ページビットマップデータの第１色データ、第２色データ、第３色データ、第４色データに書き込む新規ページ生成モジュールと、
を備えることを特徴とする２色両面印刷装置。
【請求項８】
前記オリジナルページ取得モジュールは、１ページ目から、毎回に印刷順番に従って２ページ分のオリジナルな４色ページビットマップデータを取得する、若しくは、２ページ目から、毎回に印刷順番に従って２ページ分のオリジナルな４色ページビットマップデータを取得するように構成され、
前記印刷制御手段は、
前記オリジナルページ取得モジュールが２ページ目から毎回に印刷順番に従って２ページ分のオリジナルな４色ページビットマップデータを取得する場合、１ページ目の前記オリジナルな４色ページビットマップデータを取得し、１ページ目の新規４色ページビットマップデータを生成し、ここで、当該新規４色ページビットマップデータにおける前記４色のうち２色の第１色データと第２色データとがヌルとされ、前記１ページ目のオリジナルな４色ページビットマップデータから抽出された前記有効な第１色データと第２色データとが前記１ページ目の新規４色ページビットマップデータにおける第３データと第４データに書き込まれるように構成されるページヘッド挿入モジュールを更に備えることを特徴とする請求項７に記載の２色両面印刷装置。
【請求項９】
更に、デジタル制御システムを備え、
前記デジタル制御システムは、
印刷順番に従って各ページの前記新規４色ページビットマップデータを取得する新規ページ取得モジュールと、
前記新規４色ページビットマップデータにおける前記第１色データと第２色データを抽出して被印刷材の第１面に印刷する表面印刷モジュールと、
前記新規４色ページビットマップデータにおける前記第３色データと第４色データを抽出して被印刷材の第２面に印刷する裏面印刷モジュールとを備えており、
印刷手段において、第１色の顔料と第３色の顔料は第１スポットカラーの顔料に、第２色の顔料と第４色の顔料は第２スポットカラーの顔料に、予め設定されていることを特徴とする請求項７または８に記載の２色両面印刷装置。
【請求項１０】
前記第１面の印刷が終了すると、前記第２面の印刷を行うように前記被印刷材を裏返す裏返し機構を更に備えることを特徴とする請求項９に記載の２色両面印刷装置。
【請求項１１】
前記オリジナルページ取得モジュールは、１ページ目から、毎回に印刷順番に従って２ページ分のオリジナルな４色ページビットマップデータを取得する、若しくは、２ページ目から、毎回に印刷順番に従って２ページ分のオリジナルな４色ページビットマップデータを取得するように構成され、
前記印刷制御手段は、
毎回に印刷順番に従って２ページ分のオリジナルな４色ページビットマップデータを取得し、最後に単一ページ分のオリジナルな４色ページビットマップデータが残された場合、最後の１ページ分の新規４色ページビットマップデータを生成し、前記最後に残された単一ページ分のオリジナルな４色ページビットマップデータから抽出された前記有効な第１色データと第２色データとを当該最後の１ページ分の新規４色ページビットマップデータにおける第１色データと第２色データに書き込み、当該最後の１ページ分の新規４色ページビットマップデータにおける第３色データと第４色データとをヌルとするように構成されるページエンド補完モジュールを更に備えることを特徴とする請求項７に記載の２色両面印刷装置。
【発明の詳細な説明】
【技術分野】
【０００１】
本発明は、印刷分野に関し、具体的には、２色両面印刷方法及び２色両面印刷装置に関する。
【背景技術】
【０００２】
ＲＩＰ（Raster Imaging Processor：ラスタイメージングプロセッサ）は、ページ記述ファイル（例えば、組版ソフトウェアにより生成されたＰＤＦファイル）をラスタ化画像に転換してラスタ化画像形成装置（例えば、写植機、ＣＴＰ（Computer To Plate：ダイレクト刷版装置）、デジタル印刷装置）から出力する。各ページに対応するラスタ化画像ラティスが生成される（以下は、ページラティスと略称する。）ように、各印刷ジョブに対してＲＩＰ処理を行う必要がある。
【０００３】
印刷制御手段はホストコンピューターに設けられ、ハードディスクから印刷対象ジョブのページラティスを読み込み、プリンティングコンフィギュレーションパラメータ、印刷制御コマンド及び印刷データを送信して印刷フローを制御する。
【０００４】
デジタル制御システム（Digital Control System）は、ホストコンピューターから送信されたコマンドと印刷データを受信し、コマンドに従って印刷装置のノズルを駆動して印刷作業を行わせる。
【０００５】
インクジェットデジタル印刷装置による印刷処理としては、フロントエンド組版ソフトウェアによって印刷される印刷ジョブに対して組版処理を行い、ＲＩＰによるラスター化処理をしてインクジェット印刷装置に用いられるページラティスを生成し、ホストコンピューターの印刷制御手段がページラティスを取得してインクジェット印刷装置のデジタル制御システムに送信し、デジタル制御システムが受信したページラティスをノズルに送信して印刷作業を行わせる。
【０００６】
デジタル制御システムに送信される印刷データはページ単位で送信されるため、印刷制御手段はページ単位でページラティスを用意する必要がある。図１に示されるように、１ページ分の印刷データが揃えられてからデジタル制御システムに送信される。
【０００７】
２色両面印刷は主に政府公文書向けであり、赤と黒の２色のみで良いが、被印刷材の表裏両面はいずれも印刷される必要がある。
【０００８】
従来、２色両面印刷の印刷処理としては、まず、印刷ジョブが奇数ページの印刷ジョブと偶数ページの印刷ジョブとに分けられ、印刷制御手段が奇数ページのページラティスを揃えてデジタル制御システム（Digital Control System）に送信し、被印刷材の表面がノズルの前の２色を通過し、デジタル制御システムの制御により被印刷材の表面に奇数ページの印刷ジョブが印刷され、次に、被印刷材は裏返し機構に到達して裏返されてからその裏面がノズルの後ろの２色を通過し、デジタル制御システムの制御により、当該裏面には、印刷制御手段からデジタル制御システムに送信された偶数ページのページラティスが印刷される。
【０００９】
以上の説明で分かるように、従来の両面印刷技術では、１ページ分を印刷する毎に１ページ分のデータを送信する必要があるため、送信回数が多くなり、処理効率が低くなる。
【発明の概要】
【００１０】
本発明は、従来の２色両面印刷の処理効率が低いという問題点を解決することができる２色両面印刷方法及び２色両面印刷装置を提供することを目的とする。
【００１１】
本発明は、前記目的を達成するために、毎回に印刷順番に従って２ページ分のオリジナルな４色ページラティスを取得するステップと、前記２ページ分のオリジナルな４色ページラティスから有効な第１色データと第２色データとをそれぞれ抽出するステップと、それぞれ抽出された前記第１色データと第２色データとをそれぞれ、１ページ分の新規４色ページラティスの第１色データ、第２色データ、第３色データ、第４色データに書き込むステップとを備えることを特徴とする２色両面印刷方法を提供する。
【００１２】
また、本発明は、前記目的を達成するために、毎回に印刷順番に従って２ページ分のオリジナルな４色ページラティスを取得するオリジナルページ取得モジュールと、前記２ページ分のオリジナルな４色ページラティスから有効な第１色データと第２色データとをそれぞれ抽出する抽出モジュールと、前記それぞれ抽出された第１色データと第２色データとをそれぞれ、新たな１ページ分の４色ページラティスの第１色データ、第２色データ、第３色データ、第４色データに書き込む新規ページ生成モジュールとを含む印刷制御手段を備えることを特徴とする２色両面印刷装置を提供する。
【００１３】
本発明の上記した構成の２色両面印刷方法と２色両面印刷装置は、二つのページラティスを一つのページラティスとして処理するため、従来の２色両面印刷の処理効率が低いという問題点を解決でき、印刷の効率を向上することができる。
【図面の簡単な説明】
【００１４】
以下で説明される図面は、本発明を更に理解するためのものであり、本願の一部分となる。本発明の実施例及びその説明は本発明を解釈するが、本発明に対する不当な制限を構成しない。
【００１５】
【図１】従来の４色印刷のデータ処理プロセスを示す模式図である。
【図２】本発明の実施例に係る２色両面印刷方法を示すフローチャートである。
【図３】本発明の好ましい実施例に係る４色印刷のデータ処理プロセスを示す模式図である。
【図４】本発明の好ましい実施例において最初のページにヌルを書き込む４色印刷のデータ処理プロセスを示す模式図である。
【図５】本発明の好ましい実施例において最後のページが奇数ページの場合４色印刷のデータ処理プロセスを示す模式図である。
【図６】本発明の好ましい実施例における２色両面印刷の紙送りを示す模式図である。
【図７】本発明の好ましい実施例に係る２色両面印刷方法を示すフローチャートである。
【図８】本発明の実施例に係る印刷制御手段を示す模式図である。
【図９】本発明の実施例に係るデジタル制御システムを示す模式図である。
【発明を実施するための形態】
【００１６】
以下、図面を参照しながら実施例で本発明を詳細に説明する。
【００１７】
図２は、本発明の実施例に係る２色両面印刷方法を示すフローチャートである。この印刷方法は、毎回に印刷順番に従って２ページ分のオリジナルな４色ページラティスを取得するステップＳ１０と、前記２ページ分のオリジナルな４色ページラティスから有効な第１色データと第２色データとをそれぞれ抽出するステップＳ２０と、それぞれ抽出された前記第１色データと第２色データとをそれぞれ、１ページ分の新規４色ページラティスの第１色データ、第２色データ、第３色データ、第４色データに書き込むステップＳ３０とを備える。
【００１８】
従来の印刷ソフトウェアはいずれもＣＭＹＫの４色印刷システムに対するものであるため、二つのスポットカラーを使用して印刷すれば、２色両面印刷によるページラティスにおいて、有効なのは２色のデータだけである。従来の両面印刷は１ページを印刷するには１ページのデータを送信する必要があり、nページを印刷すれば、nページのデータを送信する必要があり、送信回数が多くなり、処理効率が低くなる。本実施例において、無効の２色のデータを捨てておくことによって、２ページ分のページラティスを１ページとして処理できる。これによって、１ページのデータを送信すれば、表裏二面に対して両面印刷できる。つまり、ｎページを印刷するためには、ｎ/２ページ分のデータを送信すればよく、送信の回数が半分になる。これによって、本実施例は従来の２色両面印刷の処理効率が低い問題を解決でき、印刷効率を向上することができる。
【００１９】
好ましくは、１ページ目から、毎回に印刷順番に従って２ページ分のオリジナルな４色ページラティスを取得する。本実施例は１ページ目を表面に印刷する２色両面印刷に使用できる。図３は本発明の好ましい実施例に係る４色印刷のデータ処理プロセスを示す模式図であり、例えば、政府公文書を印刷する場合に、フロントエンド組版の時は赤と黒の２色のみがある。ＲＩＰにおいてページラティスが生成される時に、ＣＭＹＫ４色で格納し、赤のデータがＭ色面に、黒のデータがＫ色面に格納され、つまり、Ｍ色データとＫ色データが有効データであり、Ｃ色データとＹ色データが無効データである。印刷制御手段はデータを用意する時に、４色のデータをキャッシュに読み込み、１ページ目のデータが用意されたときに、直ぐ送信するわけではなく、１ページ目のＭ、Ｋ色を残しておき、Ｃ、Ｙの２色のデータを捨てる。そして、印刷制御手段はハードディスクから２ページ目の４色データを読み込み、同じようにＭ、Ｋ色を残しておき、Ｃ、Ｙ色を捨てる。それから、１ページ目のＭ、Ｋ色と２ページ目のＭ、Ｋ色とを１ページの４色データとしてデジタル制御システムに送信する。ここで、所謂１ページ目とは、実際に印刷される１ページ目であるが、必ずしも組版による１ページ目ではない。組版による印刷ジョブはＲＩＰにおいてラスター化してｎページとされるが、実際の印刷時には任意のページから印刷作業を開始してもよい。例えば、ユーザはｍページ目からｎページ目までのジョブを印刷しようとする場合、ハードディスクから読み込まれるｍページ目のデータを上記の１ページ目に、ｍ＋１ページ目を上記の２ページ目に…というふうに作業しても良い。
【００２０】
好ましくは、２ページ目から、毎回に印刷順番に従って２ページ分のオリジナルな４色ページラティスを取得し、その前には、１ページ目の前記オリジナルな４色ページラティスを取得し、１ページ目の新規４色ページラティスを生成し、ここで、当該新規４色ページラティスにおける第１色データと第２色データとがヌルとされ、前記１ページ目のオリジナルな４色ページラティスにおける第１色データと第２色データとが前記１ページ目の新規４色ページラティスにおける第３データと第４データに書き込まれる。本実施例は、必要に応じて、裏面に１ページ目のデータを印刷し、表面を空白状態とすることができる。
【００２１】
図４は本発明の好ましい実施例において最初のページにヌルを書き込む４色印刷のデータ処理プロセスを示す模式図である。ユーザは１ページ目のデータを表面に印刷するか、裏面に印刷するかを選択できる。裏面印刷が選択された場合に、データを用意する時に、格納スペースの前の２色をヌルとして、１ページ目のデータのＭ、Ｋ色を格納スペースの後ろの２色とする。
【００２２】
好ましくは、この方法は、毎回に印刷順番に従って２ページ分のオリジナルな４色ページラティスを取得し、最後に単一ページ分のオリジナルな４色ページラティスが残された場合、最後の１ページ分の新規４色ページラティスを生成し、前記最後に残された単一ページ分のオリジナルな４色ページラティスにおける第１色データと第２データとを当該最後の１ページ分の新規４色ページラティスにおける第１色データと第２色データに書き込み、当該最後の１ページ分の新規４色ページラティスにおける第３色データと第４色データとをヌルとするステップを更に備える。本実施例は最後のページが単一ページで、表面となる場合に適用される。
【００２３】
図５は本発明の好ましい実施例で最後のページが奇数ページの場合における４色印刷のデータ処理プロセスを示す模式図である。フロント組版ソフトウェアにより生成されるデータが奇数ページである場合に、格納スペースに前の２色のデータしかない。デジタル制御システムが受信するデータの完全性を確保するために、格納スペースにおける後ろの２色のデータをヌルとしてデジタル制御システムに送信する。
【００２４】
好ましくは、この方法は、更に、印刷順番に従って各ページの前記新規４色ページラティスを取得するステップと、前記新規４色ページラティスにおける第１色データと第２色データを抽出して被印刷材の第１面に印刷するステップと、前記新規４色ページラティスにおける第３色データと第４色データを抽出して被印刷材の第２面に印刷するステップと備えており、印刷手段において、第１色の顔料と第３色の顔料は第１スポットカラー（例えば赤）の顔料に、第２色の顔料と第４色の顔料は第２スポットカラー（例えば黒）の顔料に、予め設定されている。
【００２５】
従来、片面印刷と両面印刷はそれぞれ異なった印刷処理を採用し、ホストコンピューターの印刷制御手段とデジタル制御システムのインターフェースプロトコルを変更する必要があるため、片面印刷と両面印刷との自由な切り替えが困難となる。しかしながら、ユーザは同一のプラットフォームにおいて片面印刷をしたり両面印刷をしたりする必要があるが、２セットの印刷制御手段とデジタル制御システムを採用すれば、コストが高くなってしまう。
【００２６】
それに対して、本実施例において、デジタル制御システムは片面印刷と両面印刷を区分することがなく、片面印刷でデータを受信して印刷を行う。被印刷材は先ずノズルの前の２色を通過しその表面に１ページ目のＭ、Ｋ色データが印刷され、次に、裏返し機構に到達して裏返され、その裏面がノズルの後ろの２色を通過し、デジタル制御システムによる制御で、２ページ目のＭ、Ｋ色データが被印刷材の裏面に印刷される。このようにして、２色両面印刷を実現でき、印刷コストが著しく低くすることができる。
【００２７】
図６は本発明の好ましい実施例における２色両面印刷の紙送りを示す模式図である。同図に示されるように、第１面の印刷が終了すると、前記被印刷材を裏返して前記第２面の印刷を行う。
【００２８】
図７は本発明の好ましい実施例における２色両面印刷方法を示すフローチャートである。この印刷方法においては、
１．２色両面印刷モードを設定する。具体的には、４色のインクＣ、Ｍ、Ｙ、Ｋが色の赤、黒と赤、黒に変更され、被印刷材は表面印刷と裏面印刷ができるように裏返し機構を通過し、ユーザはインタ-フェ-スにおいて２色両面印刷を選択する。
【００２９】
２．制御システムによって４色に対して格納スペースを分配する。被印刷材はその表面が前の２色のノズルを通過し表面印刷がされた後に、裏面印刷ができるように、裏返し機構を通過してから後ろの２色のノズルに到達する必要がある。表面と裏面の重ね刷りを実現させて印刷を正確的に完成させるように、デジタル制御システムにおいて後ろの２色に対して十分なキャッシュを確保する必要がある。当該キャッシュのサイズは被印刷材が前の２色のノズルから後ろの２色のノズルまで移動する距離に決められる。デジタル制御システムにおける後ろの２色のノズルのためのキャッシュのサイズをＡ、ページ毎の印刷に必要なキャッシュのサイズをＢ、被印刷材が前の２色のノズルから後ろの２色のノズルまで移動する距離をｎページの長さとする場合、Ａは「Ａ＞ｎ＊Ｂ」という関係を満足しなければならない。Ａが足りなければ、正確に印刷できない。
【００３０】
３．ユーザはインタ-フェ-スにおいて１ページ目を表面に印刷するか、裏面に印刷するかを選択する。
【００３１】
４．ユーザが１ページ目を裏面に印刷することを選択した場合に、格納スペースの前の２色のデータスペースをヌルとし、ステップ６にジャンプする。
【００３２】
５．ユーザが１ページ目を表面に印刷することを選択した場合に、制御システムがハードディスクから１ページ分の４色のページラティスデータを読み込み、４色のページラティスデータにおけるＭ、Ｋ色を、分配された格納スペースの前の２色の領域に置く。
【００３３】
６．次のページのデータがあるかどうかを判断する。
【００３４】
７．次のページのデータがある場合に、印刷制御手段がハードディスクから１ページ分の４色のページラティスデータを読み込み、その中のＭ、Ｋ色が格納スペースの後ろの２色の領域に置かれる。
【００３５】
８．次のページのデータがない場合に、格納スペースの後ろの２色の領域をヌルとする。
【００３６】
９．格納スペースにおいて４色が揃えられたときに、印刷制御手段がデジタル制御システムに格納スペースにおけるページラティスを送信する。デジタル制御システムは完全な１ページ分のデータを受信した後に印刷を始動し、印刷のプロセスと片面印刷と同じである。
【００３７】
１０．次のデータがあるかどうかを判断し、ある場合にステップ５〜１０が繰り返され、ない場合に印刷が終了する。
【００３８】
また、本発明の一つの実施例において、印刷制御手段を備える２色両面印刷装置が提供される。図８は本発明の実施例に係る印刷制御手段を示す模式図である。この印刷制御手段は、毎回に印刷順番に従って２ページ分のオリジナルな４色ページラティスを取得するオリジナルページ取得モジュール１０と、前記２ページ分のオリジナルな４色ページラティスから有効な第１色データと第２色データとをそれぞれ抽出する抽出モジュール２０と、前記それぞれ抽出された第１色データと第２色データとをそれぞれ、新たな１ページ分の４色ページラティスの第１色データ、第２色データ、第３色データ、第４色データに書き込む新規ページ生成モジュール３０とを備える。
【００３９】
本実施例は印刷の効率を向上することができる。
【００４０】
好ましくは、オリジナルページ取得モジュールは、１ページ目から、毎回に印刷順番に従って２ページ分のオリジナルな４色ページラティスを取得する、若しくは、２ページ目から、毎回に印刷順番に従って２ページ分のオリジナルな４色ページラティスを取得するように構成され、印刷制御手段は、オリジナルページ取得モジュールが２ページ目から毎回に印刷順番に従って２ページ分のオリジナルな４色ページラティスを取得する場合、１ページ目のオリジナルな４色ページラティスを取得し、１ページ目の新規４色ページラティスを生成し、ここで、当該新規４色ページラティスにおける第１色データと第２色データとがヌルとされ、１ページ目のオリジナルな４色ページラティスにおける第１色データと第２色データとが１ページ目の新規４色ページラティスにおける第３データと第４データに書き込まれるように構成されるページヘッド挿入モジュールと、毎回に印刷順番に従って２ページ分のオリジナルな４色ページラティスを取得し、最後に単一ページ分のオリジナルな４色ページラティスが残された場合、最後の１ページ分の新規４色ページラティスを生成し、最後に残された単一ページ分のオリジナルな４色ページラティスにおける第１色データと第２データとを当該最後の１ページ分の新規４色ページラティスにおける第１色データと第２色データに書き込み、当該最後の１ページ分の新規４色ページラティスにおける第３色データと第４色データとをヌルとするように構成されるページエンド補完モジュールと、を更に備える。
【００４１】
本実施例は、１ページ目を表面または裏面に印刷することができ、最後のページが単一ページの印刷の場合にも対処できる。
【００４２】
好ましくは、本発明の２色両面印刷装置はデジタル制御システムをさらに備え、図９は本発明の実施例に係るデジタル制御システムを示す模式図である。このデジタル制御システムは、印刷順番に従って各ページの新規４色ページラティスを取得する新規ページ取得モジュール４０と、新規４色ページラティスにおける第１色データと第２色データを抽出して被印刷材の第１面に印刷する表面印刷モジュール５０と、新規４色ページラティスにおける第３色データと第４色データを抽出して被印刷材の第２面に印刷する裏面印刷モジュール６０とを備えており、印刷手段において、第１色の顔料と第３色の顔料は第１スポットカラーの顔料に、第２色の顔料と第４色の顔料は第２スポットカラーの顔料に、予め設定されている。
【００４３】
本実施例は印刷コストを著しく低くする。
【００４４】
好ましくは、本発明の２色両面印刷装置は、第１面の印刷が終了すると、第２面の印刷を行うように被印刷材を裏返す裏返し機構を更に備える。
【００４５】
以上から分かるように、本発明の方法と装置は印刷の効率を向上することができ、片面印刷システムの場合でも、速やかに２色両面印刷への変更を実現できる。したがって、２セットの印刷システムが不要となり、ユーザに極めて便利となり、印刷手段の適用範囲を広げることができる。
【００４６】
言うまでもなく、当業者であれば分かるように、前記した本発明の各モジュールや各ステップは、汎用のコンピューター装置によって実現でき、単一のコンピューター装置に集積されても良く、複数のコンピューター装置からなるネットワークに配置されても良く、任意に、各モジュールや各ステップは、コンピューター装置にて実行可能なプログラムコードで実現でき、それらを記憶装置に記憶して計算装置に実行させても良く、あるいは、それぞれ各集積回路モジュールとして作成しても良く、あるいは、それらの中の複数のモジュール又はステップを単一の集積回路モジュールとして作成して実現しても良い。このように、本発明は、いかなる特定のハードウェアとソフトウェアとの組合せに限定されない。
【００４７】
本発明は上述した各実施形態に限定されるものではなく、請求項に示した範囲で種々の変更が可能であり、異なる実施形態にそれぞれ開示された技術的手段を適宜組み合わせて得られる実施形態も本発明の技術的範囲に含まれる。
【図１】
0005712301.tif 000002
【図２】
0005712301.tif 000003
【図３】
0005712301.tif 000004
【図４】
0005712301.tif 000005
【図５】
0005712301.tif 000006
【図６】
0005712301.tif 000007
【図７】
0005712301.tif 000008
【図８】
0005712301.tif 000009
【図９】
0005712301.tif 000010